(57)【要約】【課題】操作ボタンと表示領域に表示された機能情報との関連を容易に把握することができる表示装置を提供すること。【解決手段】機能を選択するｎ個のボタン１１と、ｎ個のボタン１１に関連づけられた機能情報をｎ個の表示領域１２に表示する表示部１３と、表示領域１２の座標データ、機能情報のキャラクタのデータ、および映像信号を記憶する記憶部１４と、ボタン１１が押下されたとき、機能を実行する演算処理部１５と、表示領域１２を設定する信号を表示部１３に出力するオンスクリーン信号出力部１６とを備える構成とすることにより、操作ボタンと機能情報との関連を容易に把握できるようにした。【選択図】          図１
2004348560.tif 000002
【特許請求の範囲】
【請求項１】
第１の方向に複数配置され、所定の機能を選択する機能選択手段と、前記機能選択手段の機能情報を前記機能選択手段の近傍の表示領域に表示する表示手段と、前記表示領域を設定する表示領域設定手段とを備え、前記表示領域設定手段は、前記機能選択手段の形状の中心と前記表示領域の形状の中心とを結んだ線分の少なくとも一つが前記第１の方向と直交する第２の方向とほぼ平行になるよう前記表示領域を設定するようにしたことを特徴とする表示装置。
【請求項２】
映像信号を入力する映像信号入力手段を備え、前記表示手段は、前記映像信号による映像と前記機能情報とを表示するようにしたことを特徴とする請求項１に記載の表示装置。
【請求項３】
前記機能選択手段と前記表示領域との間に所定の記号を付するようにしたことを特徴とする請求項１または請求項２に記載の表示装置。
【請求項４】
第１の方向に複数配置され、所定の機能を選択する第１の機能選択手段および第２の機能選択手段と、前記第１の機能選択手段および前記第２の機能選択手段の機能情報を前記第１の機能選択手段および前記第２の機能選択手段の近傍の表示領域に表示する表示手段と、前記表示領域を設定する表示領域設定手段とを備え、前記表示領域設定手段は、前記第１の機能選択手段の形状の中心と前記表示領域の形状の中心とを結んだ線分の少なくとも一つと、前記第２の機能選択手段の形状の中心と前記表示領域の形状の中心とを結んだ線分の少なくとも一つとが前記第１の方向と直交する第２の方向とほぼ平行になるよう前記表示領域を設定するようにしたことを特徴とする表示装置。
【請求項５】
映像信号を入力する映像信号入力手段を備え、前記表示手段は、前記映像信号による映像と前記機能情報とを表示するようにしたことを特徴とする請求項４に記載の表示装置。
【請求項６】
前記第１の機能選択手段および前記第２の機能選択手段の少なくとも一つと前記表示領域との間に所定の記号を付するようにしたことを特徴とする請求項４または請求項５に記載の表示装置。
【請求項７】
前記第１の機能選択手段および前記第２の機能選択手段が、それぞれ、第１の列および第２の列として前記第１の方向に配置されるとき、前記第１の列の上下端および前記第２の列の上下端に位置する機能選択手段のうち少なくとも一つの機能選択手段は、所定の画面を表示する機能に関連づけられるようにしたことを特徴とする請求項４から請求項６までのいずれかに記載の表示装置。
【請求項８】
前記第１の機能選択手段および前記第２の機能選択手段が、それぞれ、第１の行および第２の行として前記第２の方向に配置されるとき、前記第１の行の左右端および前記第２の行の左右端に位置する機能選択手段のうち少なくとも一つの機能選択手段は、所定の画面を表示する機能に関連づけられるようにしたことを特徴とする請求項４から請求項６までのいずれかに記載の表示装置。
【発明の詳細な説明】
【０００１】
【発明の属する技術分野】
本発明は、表示装置に関し、さらに詳しくは、例えば、操作ボタンに関連づけられた機能情報を表示する表示装置に関する。
【０００２】
【従来の技術】
従来の表示装置は、入力信号の走査線数を検出する走査線検出部と、文字データの下に垂直ドット数調整用ブランク部を設けたフォントデータを記憶する記憶部と、検出された走査線数に応じて垂直文字サイズを設定する垂直文字サイズ制御部と、検出された走査線数に応じてフォントの垂直方向ドット数をカウントする垂直ドットカウンタとを備え、入力信号の走査線数に応じて、垂直文字サイズ制御部の設定により、垂直文字ドットカウンタの複数回読みを制御することで、垂直文字ドットカウンタにより画面上の垂直方向の表示文字数を一定に保つことができ、文字の垂直方向ドット数を設定することにより、画面上の文字表示位置を一定に保つことができるようになっている。
【０００３】
【特許文献１】
特開平８−１６３４５７号公報（第７−１３頁、第１図）
【０００４】
【発明が解決しようとする課題】
しかしながら、従来の表示装置による表示では、画面上の文字表示位置に機能情報を表示し、機能情報に関連づけた操作ボタンを画面の外部に配置させたい場合、操作ボタンの配置間隔は文字表示位置の間隔に固定され、操作ボタンを任意の位置に配置できないので、ユーザインターフェースを考慮した操作ボタンの配置ができないという問題があった。
【０００５】
本発明は、このような問題を解決するためになされたものであり、ユーザインターフェースを考慮した操作ボタンの配置ができ、しかも、操作ボタンと表示領域に表示された機能情報との関連を容易に把握することができる表示装置を提供するものである。
【０００６】
【課題を解決するための手段】
本発明の表示装置は、第１の方向に複数配置され、所定の機能を選択する機能選択手段と、前記機能選択手段の機能情報を前記機能選択手段の近傍の表示領域に表示する表示手段と、前記表示領域を設定する表示領域設定手段とを備え、前記表示領域設定手段は、前記機能選択手段の形状の中心と前記表示領域の形状の中心とを結んだ線分の少なくとも一つが前記第１の方向と直交する第２の方向とほぼ平行になるよう前記表示領域を設定するようにしたことを特徴とする構成を有している。
【０００７】
この構成により、表示領域設定手段は、Ｙ軸方向に複数配置された操作ボタンの中心と操作ボタンに関連づけられた機能情報を表示する表示領域の中心とを結んだ線分がＸ軸とほぼ平行になるよう表示領域を設定するので、使用者は、ユーザインターフェースが考慮されて配置された操作ボタンと表示領域に表示された機能情報との関連を容易に把握することができる。
【０００８】
また、本発明の表示装置は、映像信号を入力する映像信号入力手段を備え、前記表示手段は、前記映像信号による映像と前記機能情報とを表示するようにしたことを特徴とする構成を有している。
【０００９】
この構成により、テレビ放送等が表示手段に表示されている場合でも、使用者は、ユーザインターフェースが考慮されて配置された操作ボタンと表示領域に表示された機能情報との関連を容易に把握することができる。
【００１０】
さらに、本発明の表示装置は、前記機能選択手段と前記表示領域との間に所定の記号を付するようにしたことを特徴とする構成を有している。
【００１１】
この構成により、部品配置の制約により操作ボタンと表示領域とが離れている場合でも、使用者は、操作ボタンと操作ボタンに関連づけられた機能情報とを容易に把握することができる。
【００１２】
さらに、本発明の表示装置は、第１の方向に複数配置され、所定の機能を選択する第１の機能選択手段および第２の機能選択手段と、前記第１の機能選択手段および前記第２の機能選択手段の機能情報を前記第１の機能選択手段および前記第２の機能選択手段の近傍の表示領域に表示する表示手段と、前記表示領域を設定する表示領域設定手段とを備え、前記表示領域設定手段は、前記第１の機能選択手段の形状の中心と前記表示領域の形状の中心とを結んだ線分の少なくとも一つと、前記第２の機能選択手段の形状の中心と前記表示領域の形状の中心とを結んだ線分の少なくとも一つとが前記第１の方向と直交する第２の方向とほぼ平行になるよう前記表示領域を設定するようにしたことを特徴とする構成を有している。
【００１３】
この構成により、表示手段の左右に操作ボタンが配置され、表示手段に機能情報が表示される場合でも、使用者は、表示手段の左右に配置された操作ボタンと表示領域に表示された機能情報との関連を容易に把握することができる。
【００１４】
さらに、本発明の表示装置は、映像信号を入力する映像信号入力手段を備え、前記表示手段は、前記映像信号による映像と前記機能情報とを表示するようにしたことを特徴とする構成を有している。
【００１５】
この構成により、テレビ放送等が表示手段に表示されている場合でも、使用者は、表示手段の左右に配置された操作ボタンと表示領域に表示された機能情報との関連を容易に把握することができる。
【００１６】
さらに、本発明の表示装置は、前記第１の機能選択手段および前記第２の機能選択手段の少なくとも一つと前記表示領域との間に所定の記号を付するようにしたことを特徴とする構成を有している。
【００１７】
この構成により、部品配置の制約により操作ボタンと表示領域とが離れている場合でも、使用者は、表示手段の左右に配置された操作ボタンと表示領域に表示された機能情報との関連を容易に把握することができる。
【００１８】
さらに、本発明の表示装置は、前記第１の機能選択手段および前記第２の機能選択手段が、それぞれ、第１の列および第２の列として前記第１の方向に配置されるとき、前記第１の列の上下端および前記第２の列の上下端に位置する機能選択手段のうち少なくとも一つの機能選択手段は、所定の画面を表示する機能に関連づけられるようにしたことを特徴とする構成を有している。
【００１９】
この構成により、ウェブサイト等のページ操作におけるページ送り機能を第１の列の上下端または第２の列の上下端に位置する操作ボタンの少なくとも一つに関連づけることにより、ページ送り機能の操作性を高めることができる。
【００２０】
さらに、本発明の表示装置は、前記第１の機能選択手段および前記第２の機能選択手段が、それぞれ、第１の行および第２の行として前記第２の方向に配置されるとき、前記第１の行の左右端および前記第２の行の左右端に位置する機能選択手段のうち少なくとも一つの機能選択手段は、所定の画面を表示する機能に関連づけられるようにしたことを特徴とする構成を有している。
【００２１】
この構成により、ウェブサイト等のページ操作におけるページ送り機能を第１の行の左右端または第２の行の左右端に位置する操作ボタンの少なくとも一つに関連づけることにより、ページ送り機能の操作性を高めることができる。
【００２２】
【発明の実施の形態】
以下、本発明の実施の形態について、図面を参照して説明する。
【００２３】
（第１の実施の形態）
まず、本発明の第１の実施の形態の表示装置の構成について説明する。
【００２４】
図１に示すように、本実施の形態の表示装置１０は、第１の方向（以下、Ｙ軸という。）に複数配置され、所定の機能を選択するｎ個のボタン１１（１１−１〜１１−ｎ）と、ｎ個のボタン１１に関連づけられた機能を示す機能情報をｎ個のボタン１１の近傍のｎ個の表示領域１２（１２−１〜１２−ｎ）に表示する表示部１３と、表示領域１２の座標データ、表示領域１２に表示する機能情報のキャラクタのデータ、および所定の映像信号を記憶する記憶部１４と、ボタン１１が押下されたとき、所定の機能を実行する演算処理部１５と、表示領域１２を設定する信号を表示部１３に出力するオンスクリーン信号出力部１６と、周辺機器に対して信号を入出力する信号入出力部１７と、映像信号とオンスクリーン信号とを混合する信号混合部１９とを備えている。
【００２５】
ここで、機能情報のキャラクタについて説明する。図１において、表示領域１２−１〜１２−ｎには、それぞれ「ＹＥＳ」、「ＮＯ」、「戻る」の機能情報のキャラクタが表示されている。また、ボタン１１−１〜１１−ｎには、それぞれ「ＹＥＳ」、「ＮＯ」、「戻る」の機能が関連づけられている。例えば、ある質問が表示部１３に表示されたとき、使用者は、キャラクタ「ＹＥＳ」に関連づけられたボタン１１−１を押下することにより、「ＹＥＳ」に相当する機能を演算処理部１５に実行させることができるようになっている。
【００２６】
また、例えば、ブラウザによってコンテンツが表示部１３に表示されているとき、使用者は、キャラクタ「戻る」に関連づけられたボタン１１−ｎを押下することにより、所定のページのコンテンツを表示部１３に表示させることができるようになっている。なお、所定のページのコンテンツを表示する機能をページ送り機能といい、「戻る」機能以外に所定のページに進む「進む」機能、ウェブサイトのホームページに進む「ＴＯＰ」機能等がある。
【００２７】
ボタン１１は、例えば、押下されたときにスイッチが閉じるボタンスイッチにより構成されている。表示部１３は、例えば、液晶ディスプレイにより構成され、演算処理部１５によって記憶部１４から読み出された映像信号およびオンスクリーン信号出力部１６から出力される信号を表示するようになっている。
【００２８】
記憶部１４は、例えば、半導体メモリによって構成されている。演算処理部１５およびオンスクリーン信号出力部１６は、マイクロプロセッサ、メモリ等によって構成されている。信号入出力部１７は、例えば、プリンタ、記憶装置、ネットワーク接続機器等の周辺機器に接続され、周辺機器に対して信号を入出力するようになっている。
【００２９】
オンスクリーン信号出力部１６は、ボタン１１の形状の中心と表示領域１２の形状の中心とを結んだ線分（以下、中心線という。）の少なくとも一つがＹ軸と直交する第２の方向（以下、Ｘ軸という。）とほぼ平行になるよう表示領域１２を設定するようになっている。また、オンスクリーン信号出力部１６は、表示部１３に表示された映像に重ねて表示するキャラクタの信号を表示部１３に出力するようになっている。
【００３０】
ここで、中心線について、例を挙げて説明する。図２（ａ）において、中心線２０ａは、長方形のボタン１１の中心１１ａと長方形の表示領域１２の中心１２ａとを結んだ線を示している。また、図２（ｂ）において、中心線２０ｂは、楕円形のボタン２１の中心２１ａと長方形の表示領域１２の中心１２ａとを結んだ線を示している。また、図２（ｃ）において、中心線２０ｃは、星型六角形のボタン２２の中心２２ａと楕円形の表示領域２３の中心２３ａとを結んだ線を示している。
【００３１】
ボタン１１および表示領域１２は、図３に示すような関係を有している。表示部１３の上端をＹ軸方向の寸法基準としたとき、ボタン１１−１〜１１−ｎおよび表示領域１２−１〜１２−ｎの中心線の位置ｙｎは次式で表される。
【００３２】
【数１】
2004348560.tif 000003
ここで、ｄｎは、ｎ番目の表示領域１２−ｎのＹ軸方向の寸法、ｕｎは、ｎ番目の表示領域１２−ｎの配置間隔を示している。一方、Ｘ軸方向においては、表示領域１２−１〜１２−ｎの位置および幅は、ぞれぞれ、ｐ１〜ｐｎおよびｘ１〜ｘｎで示されている。表示領域１２には常にキャラクタが表示されるわけではなく、表示領域１２の全部または一部にキャラクタが表示されない場合がある。
【００３３】
なお、ｄ１〜ｄｎ、ｕ１〜ｕｎ、ｐ１〜ｐｎ、ｘ１〜ｘｎの値は、同一でもよいし、それぞれ異なっていてもよい。また、各寸法の単位は、ｍｍ、ドット、ピクセル等が使用される。また、ｄ１〜ｄｎ、ｕ１〜ｕｎ、ｐ１〜ｐｎ、ｘ１〜ｘｎのデータは、記憶部１４に記憶されるようになっている。
【００３４】
前述のように、オンスクリーン信号出力部１６は、中心線２０ａ〜２０ｃがＸ軸とほぼ平行になるよう表示領域１２を設定し、中心線の位置ｙｎは、式（１）によって容易に算出することができるので、設計者は、ボタン１１および表示領域１２の形状および位置を柔軟に決定することができる。すなわち、設計者は、ユーザインターフェースを柔軟に設計することができる。したがって、使用者は、ボタン１１と表示領域１２に表示されたキャラクタとの関連を容易に把握することができ、各キャラクタに関連づけられたボタン１１を押下することによって所望の機能を容易に実行することができる。
【００３５】
なお、ボタン１１の形状および表示領域１２の形状に所定の厚みを持たせた立体物を想定し、両者の重心を結んだ線分がＸ軸とほぼ平行になるよう、オンスクリーン信号出力部１６に表示領域１２を設定させるようにしてもよい。
【００３６】
また、ボタン１１の位置に対する表示領域１２の位置を決定するため、図４に示すような筐体１８を設ける構成としてもよい。例えば、筐体１８にボタン１１および表示部１３を位置決めする窓を設け、各窓の上端面にボタン１１および表示部１３を接触させ、表示部１３の上端の基準面から各ボタン１１までの寸法が決まるよう構成することによって、ボタン１１の位置に対する表示領域１２の位置を決定することができる。また、筐体１８に代えて、例えば、ボタン１１および表示部１３を固定するプリント基板を設けることによっても、ボタン１１の位置に対する表示領域１２の位置を決定することができる。
【００３７】
また、ボタン１１、表示部１３、およびオンスクリーン信号出力部１６は、それぞれ機能選択手段、表示手段、および表示領域設定手段を構成している。
【００３８】
次に、本実施の形態の表示装置１０の動作について、図１を参照して説明する。
【００３９】
まず、演算処理部１５によって、記憶部１４から表示領域１２の座標データ、キャラクタのデータ、および映像信号が読み出され、信号混合部１９に出力される。次いで、オンスクリーン信号出力部１６によって、表示領域１２の座標データに基づいてキャラクタが混合信号部１９に出力され、映像信号とキャラクタが混合され、混合信号が表示部１３に表示される。なお、キャラクタを表示領域１２の一部または全部に表示しないようにしてもよい。
【００４０】
引き続き、演算処理部１５によって、ｎ個のボタン１１のうち、いずれのボタンが押下されたかが判断される。そして、演算処理部１５によって、押下されたボタン１１に関連づけられた機能が実行される。
【００４１】
ここで、演算処理部１５により処理された処理信号を周辺機器に出力する場合は、処理信号が信号入出力部１７に送信され、信号入出力部１７によって、処理信号が所定の周辺機器に出力される。例えば、プリンタが信号入出力部１７に接続され、「画面印刷」に関連づけられたボタン１１が押下された場合は、演算処理部１５によって、表示部１３に表示された画面データが取得され、この画面データが信号入出力部１７を介してプリンタに出力されて画面データが印刷される。
【００４２】
なお、図１に示すように、キャラクタ「戻る」に関連づけられたボタン１１−ｎをボタン１１の下端に配置することにより、使用者は、キャラクタ「戻る」の表示領域１２−ｎを容易に視認でき、キャラクタ「戻る」に関連づけられたボタン１１−ｎを容易に押下できるので、「戻る」に相当する機能を容易に実行することができる。このキャラクタ「戻る」に代えて、他のページ送り機能、例えば、所定のページに進むことを示すキャラクタ「進む」に関連づけられたボタンをボタン１１の下端に配置する場合も、同様に、「進む」に相当する機能を容易に実行することができる。さらに、ページ送り機能に関連づけられたボタンをボタン１１の上端に配置する場合も、同様な効果が得られる。
【００４３】
また、図５（ａ）に示すように、ボタン１１と表示領域１２との間の筐体１８に所定の記号を付するように構成してもよい。図５（ａ）においては、丸印の記号２４（２４−１〜２４−ｎ）をボタン１１と表示領域１２との間の筐体１８に付したものが例示されている。また、図５（ｂ）に示すように、ボタン１１−１に、例えば丸印の記号２４−１を付するようにしてもよい。図５（ａ）または図５（ｂ）に示すような記号２４を付することによって、例えば、部品配置の制約によりボタン１１と表示領域１２とが離れた構成においても、使用者は、ボタン１１と表示領域１２に表示されたキャラクタとの関連を容易に把握することができる。
【００４４】
さらに、図６に示すように、ボタン１１および表示領域１２をＸ軸方向に配置する構成としてもよい。この構成においては、オンスクリーン信号出力部１６は、中心線の少なくとも一つがＹ軸とほぼ平行になるよう表示領域１２を設定するようになっている。この構成において、ページ送り機能に関連づけられたボタンを左右端のボタン１１に配置すれば、ページ送り機能の操作性を高めることができる。
【００４５】
以上のように、本実施の形態の表示装置１０によれば、オンスクリーン信号出力部１６は、中心線の少なくとも一つがＸ軸とほぼ平行になるよう表示領域１２を設定する構成としたので、使用者は、ボタン１１と表示領域１２に表示されたキャラクタとの関連を容易に把握することができる。
【００４６】
また、ボタン１１および表示領域１２の形状および位置は、柔軟なユーザインターフェースに基づいて決定することができるので、使用者は、操作性のよいボタン１１を操作することによって、表示領域１２に表示されたキャラクタに基づいて所望の機能を容易に実行することができる。
【００４７】
（第２の実施の形態）
まず、本発明の第２の実施の形態の表示装置の構成について説明する。
【００４８】
図７に示すように、本実施の形態の表示装置３０は、本発明の第１の実施の形態の表示装置１０に、さらに、信号入力部３１および映像制御部３２を備えた構成である。したがって、表示装置１０と同様の構成については説明を省略する。
【００４９】
信号入力部３１は、接続された所定の機器から映像信号、例えば、テレビジョン放送のアナログ信号、ＲＧＢデジタル信号等を入力するようになっている。また、映像制御部３２は、演算処理部１５およびオンスクリーン信号出力部１６から出力される信号に信号入力部３１によって入力された信号を重畳し、表示部１３に出力するようになっている。この信号入力部３１は映像信号入力手段を構成している。
【００５０】
なお、ボタン１１の位置に対する表示領域１２の位置を決定するため、前述のように、図４に示すような筐体１８を設ける構成してもよい。また、図５（ａ）に示すように、ボタン１１と表示領域１２との間の筐体１８に所定の記号を付するように構成してもよい。また、図５（ｂ）に示すように、ボタン１１に所定の記号を付するように構成してもよい。
【００５１】
次に、本実施の形態の表示装置３０の動作について、図７を参照して説明する。
【００５２】
まず、演算処理部１５によって、記憶部１４から表示領域１２の座標データ、キャラクタのデータ、および映像信号が読み出される。次いで、演算処理部１５によって、映像信号が映像制御部３２に出力される。さらに、オンスクリーン信号出力部１６によって、キャラクタの信号が映像制御部３２に出力される。
【００５３】
引き続き、映像制御部３２によって、信号入力部３１が入力した信号と演算処理部１５から出力された映像信号とオンスクリーン信号出力部１６から出力されたキャラクタの信号とが混合される。そして、表示部１３によって、混合された信号が表示される。なお、キャラクタを表示領域１２の一部または全部に表示しないようにしてもよい。
【００５４】
さらに、演算処理部１５によって、ｎ個のボタン１１のうち、いずれのボタンが押下されたかが判断される。そして、演算処理部１５によって、押下されたボタン１１に関連づけられた機能が実行される。
【００５５】
ここで、演算処理部１５により処理された処理信号を周辺機器に出力する場合は、信号入出力部１７に処理信号が送信され、信号入出力部１７によって、処理信号が所定の周辺機器に出力される。例えば、記憶装置が信号入出力部１７に接続され、「データセーブ」に関連づけられたボタン１１が押下された場合は、演算処理部１５によって、セーブするデータが取得され、このデータが信号入出力部１７を介して記憶装置に出力されて該当データが記憶装置に記憶される。
【００５６】
以上のように、本実施の形態の表示装置１０によれば、映像制御部３２は、信号入力部３１が入力した信号と演算処理部１５が出力した映像信号とオンスクリーン信号出力部１６が出力した座標データに基づくキャラクタの信号とを混合する構成としたので、例えば、テレビ放送が表示部１３に表示されている場合でも、使用者は、ボタン１１と表示領域１２に表示されたキャラクタとの関連を容易に把握することができる。
【００５７】
また、ボタン１１および表示領域１２の形状および位置は、柔軟なユーザインターフェースに基づいて決定することができるので、使用者は、操作性のよいボタン１１を操作することによって、表示領域１２に表示されたキャラクタに基づいて所望の機能を容易に実行することができる。
【００５８】
（第３の実施の形態）
まず、本発明の第３の実施の形態の表示装置の構成について説明する。
【００５９】
図８に示すように、本実施の形態の表示装置４０は、本発明の第１の実施の形態の表示装置１０に対し、ボタンおよび表示領域を変更したものである。したがって、表示装置１０と同様の構成については説明を省略する。
【００６０】
表示部１３の左側には、所定の機能に関連づけられたｎ個の左ボタン４１（４１−１〜４１−ｎ）が第１の方向（以下、Ｙ軸方向という。）に複数配置されている。また、表示部１３には、左ボタン４１に関連づけられた機能を示す機能情報を表すキャラクタがｎ個の左表示領域４２（４２−１〜４２−ｎ）に表示されている。
【００６１】
一方、表示部１３の右側には、所定の機能に関連づけられたｎ個の右ボタン４３（４３−１〜４３−ｎ）がＹ軸方向に複数配置されている。また、表示部１３には、右ボタン４３に関連づけられた機能を示す機能情報を表すキャラクタがｎ個の右表示領域４４（４４−１〜４４−ｎ）に表示されている。
【００６２】
前述の左ボタン４１および右ボタン４３は、例えば、押下されたときにスイッチが閉じるボタンスイッチにより構成されている。
【００６３】
なお、右表示領域４４−１に表示されたキャラクタ「カメラ１」は、信号入出力部１７に接続された第１のカメラ（図示せず）によって撮影された映像を表示部１３に表示する機能を示している。同様に、右表示領域４４−２に表示されたキャラクタ「カメラ２」は、信号入出力部１７に接続された第２のカメラ（図示せず）によって撮影された映像を表示部１３に表示する機能を示している。右ボタン４３−１または右ボタン４３−２が押下されたとき、第１カメラまたは第２カメラによって撮影された映像が表示部１３に表示されるようになっている。
【００６４】
また、右表示領域４４−ｎに表示されたキャラクタ「進む」は、右ボタン４３−ｎが押下されたとき、表示部１３に表示された画面が所定の画面に進む機能を示している。キャラクタ「進む」に関連づけられた右ボタン４３−ｎを右ボタン４３の下端に配置したことにより、使用者は、キャラクタ「進む」の右表示領域４４−ｎを容易に視認でき、キャラクタ「進む」に関連づけられた右ボタン４３−ｎを容易に押下できるので、「進む」に相当する機能を容易に実行できる。
【００６５】
ここで、左ボタン４１と左表示領域４２との関係、右ボタン４３と右表示領域４４との関係について、図９を参照して説明する。
【００６６】
図９において、表示部１３の上端をＹ軸方向の寸法基準としたとき、左ボタン４１−１〜４１−ｎおよび左表示領域４２−１〜４２−ｎの中心線の位置ｙｌｎは次式で表される。
【００６７】
【数２】
2004348560.tif 000004
ここで、ｄｌｎは、ｎ番目の左表示領域４２−ｎのＹ軸方向の寸法、ｕｌｎは、ｎ番目の左表示領域４２−ｎの配置間隔を示している。Ｘ軸方向においては、左表示領域４２−１〜４２−ｎの位置および幅は、ぞれぞれ、ｐｌ１〜ｐｌｎおよびｘｌ１〜ｘｌｎで示されている。なお、表示部１３のＸ軸方向の寸法をｗとしたとき、ｐｌｎとｘｌｎとの和がｗの半分以下になるようｐｌｎおよびｘｌｎの寸法を設定してもよい。
【００６８】
一方、右ボタン４３−１〜４３−ｎおよび右表示領域４４−１〜４４−ｎの中心線の位置ｙｒｎは次式で表される。
【００６９】
【数３】
2004348560.tif 000005
ここで、ｄｒｎは、ｎ番目の右表示領域４４−ｎのＹ軸方向の寸法、ｕｒｎは、ｎ番目の右表示領域４４−ｎの配置間隔を示している。Ｘ軸方向においては、右表示領域４４−１〜４４−ｎの位置および幅は、ぞれぞれ、ｐｒ１〜ｐｒｎおよびｘｒ１〜ｘｒｎで示されている。なお、表示部１３のＸ軸方向の寸法をｗとしたとき、ｐｒｎとｘｒｎとの和がｗの半分以下になるようｐｒｎおよびｘｒｎの寸法を設定してもよい。
【００７０】
なお、前述の左表示領域４２および右表示領域４４には常にキャラクタが表示されるわけではなく、左表示領域４２および右表示領域４４の全部または一部にキャラクタが表示されない場合がある。
【００７１】
また、ｄｌ１〜ｄｌｎ、ｕｌ１〜ｕｌｎ、ｐｌ１〜ｐｌｎ、ｘｌ１〜ｘｌｎの値は、同一でもよいし、それぞれ異なっていてもよい。同様に、ｄｒ１〜ｄｒｎ、ｕｒ１〜ｕｒｎ、ｐｒ１〜ｐｒｎ、ｘｒ１〜ｘｒｎの値は、同一でもよいし、それぞれ異なっていてもよい。また、各寸法の単位は、ｍｍ、ドット、ピクセル等が使用される。また、図９に記載された寸法のデータは、記憶部１４に記憶されるようになっている。
【００７２】
オンスクリーン信号出力部１６は、中心線がＸ軸とほぼ平行になるよう表示領域１２を設定し、中心線の位置ｙｌｎおよびｙｒｎは、式（２）および式（３）によって容易に算出することができるので、設計者は、左ボタン４１、左表示領域４２、右ボタン４３、および右表示領域４４の形状、位置を柔軟に決定することができる。すなわち、設計者は、ユーザインターフェースを柔軟に設計することができる。したがって、使用者は、左ボタン４１および右ボタン４３と各キャラクタとの関連を容易に把握することができ、各キャラクタに関連づけられた左ボタン４１または右ボタン４３を押下することによって所望の機能を容易に実行することができる。
【００７３】
なお、左ボタン４１に対する左表示領域４２の位置、右ボタン４３に対する右表示領域４４の位置を決定するため、図１０に示すような筐体１８を設ける構成としてもよい。例えば、筐体１８に左ボタン４１と表示部１３との寸法、右ボタン４３と表示部１３との寸法を位置決めする窓を設け、各窓の上端面に左ボタン４１、右ボタン４３、および表示部１３を接触させ、表示部１３の上端の基準面から各左ボタン４１までの寸法と各右ボタン４３までの寸法とが決まるよう構成することによって、左ボタン４１の位置に対する左表示領域４２の位置、右ボタン４３の位置に対する右表示領域４４の位置を決定することができる。
【００７４】
また、筐体１８に代えて、例えば、左ボタン４１、右ボタン４３、および表示部１３を固定するプリント基板を設けることによっても、左ボタン４１と表示部１３との寸法、右ボタン４３と表示部１３との寸法を決定することができる。
【００７５】
また、左ボタン４１および右ボタン４３は、それぞれ第１の機能選択手段および第２の機能選択手段を構成している。また、左表示領域４２および右表示領域４４は、それぞれ第１表示領域および第２表示領域を構成している。
【００７６】
次に、本実施の形態の表示装置４０の動作について、図８を参照して説明する。
【００７７】
まず、演算処理部１５によって、記憶部１４から左表示領域４２および右表示領域４４の座標データ、キャラクタのデータ、および映像信号が読み出され、信号混合部１９に出力される。次いで、オンスクリーン信号出力部１６によって、左表示領域４２および右表示領域４４の座標データに基づいてキャラクタが信号混合部１９に出力され、映像信号とキャラクタとが混合され、混合信号が表示部１３に表示される。なお、キャラクタを左表示領域４２および右表示領域４４の一部または全部に表示しないようにしてもよい。
【００７８】
引き続き、演算処理部１５によって、左ボタン４１および右ボタン４３のうち、いずれのボタンが押下されたかが判断される。そして、演算処理部１５によって、押下された左ボタン４１または右ボタン４３に関連づけられた機能が実行される。
【００７９】
ここで、演算処理部１５により処理された処理信号を周辺機器に出力する場合は、処理信号が信号入出力部１７に送信され、信号入出力部１７によって、処理信号が所定の周辺機器に出力される。例えば、第１のカメラが信号入出力部１７に接続され、キャラクタ「カメラ１」に関連づけられた右ボタン４３−１が押下された場合は、演算処理部１５によって、第１のカメラに制御信号が送られた後、第１のカメラから映像信号が取得され、この映像が表示部１３に表示される。
【００８０】
なお、左ボタン４１および右ボタン４３に関連づける機能の配分は、機能の使用頻度を想定して配分するようにしてもよい。例えば、使用頻度が高いと想定される機能は、右ボタン４３に配置する構成としてもよい。
【００８１】
また、図１１（ａ）に示すように、左ボタン４１と左表示領域４２との間、右ボタン４３と右表示領域４４との間の筐体１８に所定の記号を付するように構成してもよい。図１１（ａ）においては、斜方形の記号４５（４５−１〜４５−ｎ）および斜方形の記号４６（４６−１〜４６−ｎ）を筐体１８に付したものが例示されている。また、図１１（ｂ）および図１１（ｃ）に示すように、ボタン自体に、例えば斜方形の記号４５および記号４６を付するようにしてもよい。図１１（ａ）〜図１１（ｃ）に示すような記号４５および記号４６を付することによって、例えば、部品配置の制約により、左ボタン４１と左表示領域４２とが離れた構成、または右ボタン４３と右表示領域４４とが離れた構成となっても、使用者は、左ボタン４１と左表示領域４２に表示されたキャラクタとの関連、右ボタン４３と右表示領域４４に表示されたキャラクタとの関連を容易に把握することができる。
【００８２】
また、図１２に示すように、上ボタン４７（４７−１〜４７−ｎ）、上表示領域４８（４８−１〜４８−ｎ）、下ボタン４９（４９−１〜４９−ｎ）、および下表示領域５０（５０−１〜５０−ｎ）をＸ軸方向に配置する構成としてもよい。この構成においては、オンスクリーン信号出力部１６は、中心線の少なくとも一つがＹ軸とほぼ平行になるよう各表示領域を設定するようになっている。この構成において、ページ送り機能に関連づけられたボタンを上ボタン４７および下ボタン４９の左右端のボタンに配置し、ページ送り機能の操作性を高めることができる。
【００８３】
以上のように、本実施の形態の表示装置４０によれば、オンスクリーン信号出力部１６は、中心線の少なくとも一つがＸ軸とほぼ平行になるよう表示領域１２を設定する構成としたので、使用者は、左ボタン４１と左表示領域４２に表示されたキャラクタとの関連、右ボタン４３と右表示領域４４に表示されたキャラクタとの関連を容易に把握することができる。
【００８４】
また、左ボタン４１、左表示領域４２、右ボタン４３、および右表示領域４４の形状および位置は、柔軟なユーザインターフェースに基づいて決定することができるので、使用者は、操作性のよい左ボタン４１および右ボタン４３を操作することによって、左表示領域４２および右表示領域４４に表示されたキャラクタに基づいて所望の機能を容易に実行することができる。
【００８５】
（第４の実施の形態）
まず、本発明の第４の実施の形態の表示装置の構成について説明する。
【００８６】
図１３に示すように、本実施の形態の表示装置６０は、本発明の第３の実施の形態の表示装置４０に、さらに、信号入力部３１および映像制御部３２を備えた構成である。したがって、表示装置４０と同様の構成については説明を省略する。
【００８７】
信号入力部３１は、接続された所定の機器から映像信号、例えば、テレビジョン放送のアナログ信号、ＲＧＢデジタル信号等を入力するようになっている。また、映像制御部３２は、演算処理部１５およびオンスクリーン信号出力部１６から出力される信号に信号入力部３１によって入力された信号を重畳し、表示部１３に出力するようになっている。
【００８８】
なお、左ボタン４１に対する左表示領域４２の位置、右ボタン４３に対する右表示領域４４の位置を決定するため、前述のように、図１０に示すような筐体１８を設ける構成してもよい。また、図１１（ａ）に示すように、左ボタン４１と左表示領域４２との間、右ボタン４３と右表示領域４４との間の筐体１８に所定の記号を付するように構成してもよい。また、図１１（ｂ）および図１１（ｃ）に示すように、左ボタン４１および右ボタン４３に所定の記号を付するように構成してもよい。
【００８９】
次に、本実施の形態の表示装置６０の動作について、図１３を参照して説明する。
【００９０】
まず、演算処理部１５によって、記憶部１４から左表示領域４２および右表示領域４４の座標データ、キャラクタのデータ、および映像信号が読み出される。
次いで、演算処理部１５によって、映像信号が映像制御部３２に出力される。さらに、オンスクリーン信号出力部１６によって、キャラクタの信号が映像制御部３２に出力される。
【００９１】
引き続き、映像制御部３２によって、信号入力部３１が入力した信号と演算処理部１５から出力された映像信号とオンスクリーン信号出力部１６から出力されたキャラクタの信号とが混合される。そして、表示部１３によって、混合された信号が表示される。なお、キャラクタを左表示領域４２および右表示領域４４の一部または全部に表示しないようにしてもよい。
【００９２】
さらに、演算処理部１５によって、左ボタン４１および右ボタン４３のうち、いずれのボタンが押下されたかが判断される。そして、演算処理部１５によって、押下された左ボタン４１または右ボタン４３に関連づけられた機能が実行される。
【００９３】
ここで、演算処理部１５により処理された処理信号を周辺機器に出力する場合は、処理信号が信号入出力部１７に送信され、信号入出力部１７によって、処理信号が所定の周辺機器に出力される。例えば、ネットワーク接続装置が信号入出力部１７に接続され、「ブラウザ」に関連づけられたボタンが押下された場合は、演算処理部１５によって、ブラウザが起動され、インターネット上の所定のウェブサイトのコンテンツが表示部１３に表示される。
【００９４】
以上のように、本実施の形態の表示装置６０によれば、映像制御部３２は、信号入力部３１が入力した信号と演算処理部１５が出力した映像信号とオンスクリーン信号出力部１６が出力した座標データに基づくキャラクタの信号とを混合する構成としたので、使用者は、例えば、表示部１３にテレビ放送の映像が表示されている場合でも、左ボタン４１と左表示領域４２に表示されたキャラクタとの関連、右ボタン４３と右表示領域４４に表示されたキャラクタとの関連を容易に把握することができる。
【００９５】
また、左ボタン４１、左表示領域４２、右ボタン４３、および右表示領域４４の形状および位置は、柔軟なユーザインターフェースに基づいて決定することができるので、使用者は、操作性のよい左ボタン４１または右ボタン４３を操作することによって、左表示領域４２または右表示領域４４に表示されたキャラクタに基づいて所望の機能を容易に実行することができる。
【００９６】
【発明の効果】
以上説明したように、本発明によれば、ユーザインターフェースが考慮されて配置された操作ボタンと表示領域に表示された機能情報との関連を容易に把握することができる表示装置を提供することができる。
【図面の簡単な説明】
【図１】本発明の第１の実施の形態の表示装置のブロック図
【図２】中心線の説明図
【図３】ボタンと表示領域との関係を示す図
【図４】筐体を設ける構成の一例を示す図
【図５】ボタンと表示領域との間の筐体に所定の記号を付する構成の一例を示す図
【図６】ボタンおよび表示領域をＸ軸方向に配置する構成の一例を示す図
【図７】本発明の第２の実施の形態の表示装置のブロック図
【図８】本発明の第３の実施の形態の表示装置のブロック図
【図９】ボタンと表示領域との関係を示す図
【図１０】筐体を設ける構成の一例を示す図
【図１１】ボタンと表示領域との間の筐体に所定の記号を付する構成の一例を示す図
【図１２】ボタンおよび表示領域をＸ軸方向に配置する構成の一例を示す図
【図１３】本発明の第４の実施の形態の表示装置のブロック図
【符号の説明】
１０、３０、４０、６０  表示装置
１１、２１、２２  ボタン
１１ａ、１２ａ、２１ａ、２２ａ、２３ａ  中心
１２、２３  表示領域
１３  表示部
１４  記憶部
１５  演算処理部
１６  オンスクリーン信号出力部
１７  信号入出力部
１８  筐体
１９  信号混合部
２０ａ、２０ｂ、２０ｃ  中心線
２４、４５、４６  記号
３１  信号入力部
３２  映像制御部
４１  左ボタン
４２  左表示領域
４３  右ボタン
４４  右表示領域
４７  上ボタン
４８  上表示領域
４９  下ボタン
５０  下表示領域
【図１】
2004348560.tif 000006
【図２】
2004348560.tif 000007
【図３】
2004348560.tif 000008
【図４】
2004348560.tif 000009
【図５】
2004348560.tif 000010
【図６】
2004348560.tif 000011
【図７】
2004348560.tif 000012
【図８】
2004348560.tif 000013
【図９】
2004348560.tif 000014
【図１０】
2004348560.tif 000015
【図１１】
2004348560.tif 000016
【図１２】
2004348560.tif 000017
【図１３】
2004348560.tif 000018